(57)【要約】【課題】  マイクロコンピュータ正常時には同一の発光素子に複数種のランプ機能を果たさせつつも、マイクロコンピュータ故障時にはストップランプとして点灯させることが可能な電子発光素子点灯制御回路を提供する。【解決手段】  ストップランプ信号Ｓａがマイクロコンピュータ２１に入力することで、電子発光素子１０ａ，１０ｂはストップランプとして発光する。また、マイクロコンピュータ２１の故障時において、ストップランプ信号Ｓａは、抵抗Ｒ１，Ｒ２及びダイオードＤ１，Ｄ２を介して電子発光素子１０ａ，１０ｂに入力する。なお、マイクロコンピュータ２１の正常時には、第３及び第４のｎｐｎトランジスタＴ３，Ｔ４が導通状態となっているため、ストップランプ信号Ｓａは電子発光素子１０ａ，１０ｂに直接入力しない。【選択図】      図１
2007038809.tif 000002
【特許請求の範囲】
【請求項１】
少なくともストップランプと他のランプとの２種類のランプとして発光可能な電子発光素子と、
ストップランプ信号を入力することにより、ストップランプとして必要な輝度及び点灯パターンで前記電子発光素子を発光させ、且つ、他のランプ信号を入力することにより、他のランプとして必要な輝度及び点灯パターンで前記電子発光素子を発光させるマイクロコンピュータと、
前記マイクロコンピュータに入力しようとするストップランプ信号を前記電子発光素子に供給可能としたストップランプ信号供給回路と、
前記マイクロコンピュータが正常であるときには前記ストップランプ信号供給回路を通じてストップランプ信号が前記電子発光素子に入力することを禁止し、且つ、前記マイクロコンピュータが故障しているときには前記ストップランプ信号供給回路を通じてストップランプ信号が前記電子発光素子に入力することを許可するストップランプ信号制御回路と、
を備えることを特徴とする電子発光素子点灯制御回路。
【請求項２】
他のランプ信号は前記マイクロコンピュータに間欠的に入力するターンランプ信号であって、
前記マイクロコンピュータの故障時において、前記マイクロコンピュータにストップランプ信号とターンランプ信号とが入力しようとしている場合に、前記ストップランプ信号供給回路を通じてストップランプ信号が前記電子発光素子に入力することを禁止し、前記マイクロコンピュータにストップランプ信号が入力しようとしターンランプ信号が入力しようとしていない場合に、前記ストップランプ信号供給回路を通じてストップランプ信号が前記電子発光素子に入力することを許可する点滅制御回路を、
さらに備えることを特徴とする請求項１に記載の電子発光素子点灯制御回路。
【請求項３】
前記マイクロコンピュータは前記電子発光素子を含むリアコンビネーションランプ内に設けられていることを特徴とする請求項２に記載の電子発光素子点灯制御回路。
【発明の詳細な説明】
【技術分野】
【０００１】
本発明は、電子発光素子点灯制御回路に関する。
【背景技術】
【０００２】
従来、ストップランプとテールランプとの双方の機能を果たすように同一のＬＥＤを発光させる電子発光素子点灯制御回路が知られている。この回路によれば、テールランプ点灯時にはＬＥＤに流す電流量を小さくし、ストップランプ点灯時にはＬＥＤに流す電流量を大きくして、発光輝度に差を設けることによりＬＥＤに双方のランプとしての機能を果たさせるようにしている（特許文献１及び２参照）。
【特許文献１】特開２００５−２９０２０号公報
【特許文献２】特開２００５−４１３０９号公報
【発明の開示】
【発明が解決しようとする課題】
【０００３】
しかし、従来技術の回路構成をマイクロコンピュータにて実現した場合、マイクロコンピュータが車両衝突などにより故障しやすく、マイクロコンピュータ故障時にはＬＥＤを発光させることができなくなってしまう。特に、マイクロコンピュータの故障によりストップランプとしての機能が果たせなくなると、後続車両が自車両に急接近してしまうなどの事態が生じてしまう。
【０００４】
本発明はこのような従来の課題を解決するためになされたものであり、その目的とするところは、マイクロコンピュータ正常時には同一の発光素子に複数種のランプ機能を果たさせつつも、マイクロコンピュータ故障時にはストップランプとして機能させることが可能な電子発光素子点灯制御回路を提供することにある。
【課題を解決するための手段】
【０００５】
本発明の電子発光素子点灯制御回路は、電子発光素子と、マイクロコンピュータと、ストップランプ信号供給回路と、ストップランプ信号制御回路とを備えている。電子発光素子は、少なくともストップランプと他のランプとの２種類のランプとして発光可能なものである。マイクロコンピュータは、ストップランプ信号を入力することにより、ストップランプとして必要な輝度及び点灯パターンで電子発光素子を発光させるものである。また、マイクロコンピュータは、他のランプ信号を入力することにより、他のランプとして必要な輝度及び点灯パターンで電子発光素子を発光させるものである。ストップランプ信号供給回路は、マイクロコンピュータに入力しようとするストップランプ信号を電子発光素子に供給可能としたものである。ストップランプ信号制御回路は、マイクロコンピュータが正常であるときにはストップランプ信号供給回路によりストップランプ信号が電子発光素子に入力することを禁止するものである。また、ストップランプ信号制御回路は、マイクロコンピュータが故障しているときにはストップランプ信号供給回路によりストップランプ信号が電子発光素子に入力することを許可するものである。
【発明の効果】
【０００６】
本発明によれば、マイクロコンピュータは、ストップランプ信号を入力することにより、ストップランプとして必要な輝度及び点灯パターンで電子発光素子を発光させ、且つ、他のランプ信号を入力することにより、他のランプとして必要な輝度及び点灯パターンで電子発光素子を発光させることとしている。このため、同一の発光素子に複数の機能を果たさせることができる。
【０００７】
また、マイクロコンピュータが正常であるときにはストップランプ信号供給回路を通じてストップランプ信号が電子発光素子に入力することを禁止し、且つ、マイクロコンピュータが故障しているときにはストップランプ信号供給回路を通じてストップランプ信号が電子発光素子に入力することを許可するようにしている。このため、たとえマイクロコンピュータが故障したとしても、ストップランプ信号はストップランプ信号供給回路を通じて電子発光素子に入力することとなる。
【０００８】
従って、マイクロコンピュータ正常時には同一の発光素子に複数種のランプ機能を果たさせつつも、マイクロコンピュータ故障時にはストップランプとして点灯させることができる。
【発明を実施するための最良の形態】
【０００９】
以下、本発明の好適な実施形態を図面に基づいて説明する。
【００１０】
図１は、本発明の実施形態に係る電子発光素子点灯制御回路の構成図である。電子発光素子点灯制御回路１は、車両に搭載されるものであって、図１に示すように右側のリアコンビネーションランプ１００内に、第１電子発光素子（電子発光素子）１０ａと、ＥＣＵ（ユニット）２０と、第１ストップランプ信号供給回路（ストップランプ信号供給回路）３０ａと、第１ストップランプ信号制御回路（ストップランプ信号制御回路）４０ａと、第１点滅制御回路（点滅制御回路）５０ａとを備えている。
【００１１】
また、電子発光素子点灯制御回路１は、左側のリアコンビネーションランプ２００内に、第２電子発光素子（電子発光素子）１０ｂと、第２ストップランプ信号供給回路（ストップランプ信号供給回路）３０ｂと、第２ストップランプ信号制御回路（ストップランプ信号制御回路）４０ｂと、第２点滅制御回路（点滅制御回路）５０ｂとを備えている。
【００１２】
２つの電子発光素子１０ａ，１０ｂは、少なくともストップランプと他のランプとの２種類のランプとして発光可能なものであり、本実施形態ではＬＥＤが用いられている。また、本実施形態において電子発光素子１０ａ，１０ｂの双方は、他のランプとして、ターンランプ及びテールランプの２種類のランプとして発光可能になっており、ストップランプとあわせて計３種類のランプとして発光可能となっている。
【００１３】
ＥＣＵ２０は、バッテリと２つの電子発光素子１０ａ，１０ｂとの間に介在されて、バッテリからの電流を電子発光素子１０ａ，１０ｂに供給することで、２つの電子発光素子１０ａ，１０ｂを発光させるものである。また、ＥＣＵ２０は、ストップランプ信号Ｓａ、テールランプ信号Ｓｂ、及びターンランプ信号Ｓｃを入力する。具体的にストップランプ信号Ｓａは、車両運転者がブレーキ操作してバッテリとＥＣＵ２０との間に介在されるブレーキスイッチ３００がオンすることにより、バッテリからの電流信号としてＥＣＵ２０に入力する。また、テールランプ信号Ｓｂは、夜間などに前照灯が点灯されたときにＥＣＵ２０に入力する。さらに、ターンランプ信号Ｓｃは、運転者が右左折するために方向指示器の操作をすることにより、スイッチ４００がオンしてＥＣＵ２０に入力する。
【００１４】
ここで、２つの電子発光素子１０ａ，１０ｂ及びＥＣＵ２０の構成について詳細に説明する。まず、ＥＣＵ２０は、マイクロコンピュータ２１を有している。マイクロコンピュータ２１は、第１入力端子２０ａを介してストップランプ信号Ｓａを入力するようになっている。また、マイクロコンピュータ２１は、第２入力端子２０ｂを介してテールランプ信号Ｓｂを入力し、第３入力端子２０ｃを介してターンランプ信号Ｓｃを入力するようになっている。
【００１５】
そして、マイクロコンピュータ２１は、ストップランプ信号Ｓａを入力することにより、ストップランプとして必要な輝度及び点灯パターンで２つの電子発光素子１０ａ，１０ｂを発光させる。
【００１６】
すなわち、マイクロコンピュータ２１は、ＥＣＵ２０内に設けられる第１のｎｐｎトランジスタＴ１のベース電流を制御することで、バッテリから第４入力端子２０ｄ及び第１出力端子２０ｅを通じて第１電子発光素子１０ａに流す電流量を調節し、第１電子発光素子１０ａをストップランプとして必要な輝度で発光させる。また、ストップランプは点滅発光等せず常時点灯するものであるため、マイクロコンピュータ２１は、ストップランプ信号Ｓａの入力中においてバッテリから第１電子発光素子１０ａに流れる電流量を一定に保持し、第１電子発光素子１０ａをストップランプとして必要な点灯パターン（常時点灯パターン）で発光させる。
【００１７】
第２電子発光素子１０ｂの発光についても同様であり、マイクロコンピュータ２１は、ＥＣＵ２０内に設けられる第２のｎｐｎトランジスタＴ２のベース電流を制御することで、バッテリから第４入力端子２０ｄ及び第２出力端子２０ｆを通じて第２電子発光素子１０ｂに流す電流量を調節し、第２電子発光素子１０ｂをストップランプとして必要な輝度で発光させる。また、マイクロコンピュータ２１は、ストップランプ信号Ｓａの入力中においてバッテリから第２電子発光素子１０ｂに流れる電流量を一定に保持し、第２電子発光素子１０ｂをストップランプとして必要な点灯パターンで発光させる。
【００１８】
さらに、マイクロコンピュータ２１は、他のランプ信号を入力することにより、他のランプとして必要な輝度及び点灯パターンで２つの電子発光素子１０ａ，１０ｂを発光させる。具体的に説明すると、マイクロコンピュータ２１は、テールランプ信号Ｓｂを入力した場合、第１及び第２のｎｐｎトランジスタＴ１，Ｔ２のベース電流を制御して、ストップランプ点灯時よりも２つの電子発光素子１０ａ，１０ｂに流れる電流量を小さくして、電子発光素子１０ａ，１０ｂをテールランプとして必要な輝度で発光させる。すなわち、テールランプは後続車両等に自車両の存在を知らせるためのものであり、ストップランプよりも輝度が小さいものであることから、マイクロコンピュータ２１は、２つの電子発光素子１０ａ，１０ｂに流れる電流量を小さくして発光輝度を小さくする。
【００１９】
また、テールランプは点滅発光等せず常時点灯するものであるため、マイクロコンピュータ２１は、テールランプ信号Ｓｂの入力中においてバッテリから電子発光素子１０ａ，１０ｂに流れる電流量を一定に保持し、これら素子１０ａ，１０ｂをテールランプとして必要な点灯パターンで発光させる。
【００２０】
次に、ターンランプ信号Ｓｃを入力した場合を説明する。まず、ターンランプ信号Ｓｃは間欠的にマイクロコンピュータ２１に入力する。すなわち、ターンランプ信号Ｓｃはオンオフを交互に繰り返す信号となっている。そして、マイクロコンピュータ２１は、ターンランプ信号Ｓｃがオン状態であるときに、第１及び第２トランジスタＴ１，Ｔ２を制御することで、電子発光素子１０ａ，１０ｂに流す電流量を調節し、第１電子発光素子１０ａをターンランプとして必要な輝度で発光させる。また、マイクロコンピュータ２１は、ターンランプ信号Ｓｃがオフ状態であるとき、第１及び第２トランジスタＴ１，Ｔ２を制御して、バッテリから電子発光素子１０ａに電流が流れないようにする。これにより、電子発光素子１０ａ，１０ｂは、ターンランプ信号Ｓｃがオンオフを繰り返すのにあわせて点滅することとなり、ターンランプとして必要な点灯パターン（点滅パターン）で発光することとなる。
【００２１】
第１ストップランプ信号供給回路３０ａは、ブレーキスイッチ３００と第１電子発光素子１０ａとの間に介在され、ＥＣＵ２０に対して並列的に設けられている。この第１ストップランプ信号供給回路３０ａは、抵抗Ｒ１とダイオードＤ１とからなっている。抵抗Ｒ１は、一端がブレーキスイッチ３００に直列接続され、他端がダイオードＤ１のアノードに直列接続されている。ダイオードＤ１は、アノードが抵抗Ｒ１に接続され、カソードが第１電子発光素子１０ａに接続されている。このため、第１ストップランプ信号供給回路３０ａは、マイクロコンピュータ２１に入力しようとするストップランプ信号Ｓａを第１電子発光素子１０ａに供給可能となっている。
【００２２】
第２ストップランプ信号供給回路３０ｂについても第１ストップランプ信号供給回路３０ａと同様に、ブレーキスイッチ３００と第２電子発光素子１０ｂとの間に介在されており、抵抗Ｒ２とダイオードＤ２からなっている。よって、第２ストップランプ信号供給回路３０ｂも同様に、マイクロコンピュータ２１に入力しようとするストップランプ信号Ｓａを第２電子発光素子１０ｂに供給可能となっている。
【００２３】
なお、ストップランプ信号Ｓａはバッテリからの電流信号であることから、第１及び第２電子発光素子１０ａ，１０ｂそれぞれは、ストップランプ信号Ｓａを入力すると、発光することとなる。
【００２４】
第１ストップランプ信号制御回路４０ａは、第３のｎｐｎトランジスタＴ３を有している。このトランジスタＴ３のベースは第３出力端子２０ｇを通じてマイクロコンピュータ２１に接続されており、コレクタは抵抗Ｒ１とダイオードＤ１との間に接続されており、エミッタは接地されている。ここで、第３のｎｐｎトランジスタＴ３は、マイクロコンピュータ２１からベース電流が供給されてコレクタ−エミッタ間が導通状態となっている。このため、たとえ第１ストップランプ信号供給回路３０ａにストップランプ信号Ｓａが入力しても、ストップランプ信号Ｓａは第３のｎｐｎトランジスタＴ３に流れ、第１電子発光素子１０ａには至らないこととなる。
【００２５】
また、第２ストップランプ信号制御回路４０ｂについても第１ストップランプ信号制御回路４０ａと同様であり、第４のｎｐｎトランジスタＴ４を有している。第４のｎｐｎトランジスタＴ４は、ベースが第４出力端子２０ｈを通じてマイクロコンピュータ２１に接続されており、コレクタは抵抗Ｒ２とダイオードＤ２との間に接続されており、エミッタは接地されている。また、第４のｎｐｎトランジスタＴ４は、マイクロコンピュータ２１からベース電流が供給されてコレクタ−エミッタ間が導通状態となっているため、同様にストップランプ信号Ｓａは第２電子発光素子１０ｂには至らないこととなる。
【００２６】
第１点滅制御回路５０ａは、第１アンド回路Ａ１と第１オア回路Ｏ１と第５のｎｐｎトランジスタＴ５とからなっている。第１アンド回路Ａ１は、ストップランプ信号Ｓａと、ターンランプ信号Ｓｃとの論理積を求め、論理積を第１オア回路Ｏ１に出力する。第１オア回路Ｏ１は、第１アンド回路Ａ１の出力と、ターンランプ信号Ｓｃとの論理和とを求め、論理和を第５のｎｐｎトランジスタＴ５のベースに出力する。第５のｎｐｎトランジスタＴ５は、コレクタが抵抗Ｒ１とダイオードＤ１との間に接続されており、エミッタが接地されている。そして、第５のｎｐｎトランジスタＴ５のコレクタ−エミッタ間が導通状態となった場合、第１ストップランプ信号供給回路３０ａにストップランプ信号Ｓａが入力しても、ストップランプ信号Ｓａは第５のｎｐｎトランジスタＴ５に流れ、第１電子発光素子１０ａには至らないこととなる。
【００２７】
第２点滅制御回路５０ｂについても第１点滅制御回路５０ｂと同様であり、第２アンド回路Ａ２と第２オア回路Ｏ２と第６のｎｐｎトランジスタＴ６とからなっている。第２アンド回路Ａ２は、ストップランプ信号Ｓａと、ターンランプ信号Ｓｃとの論理積を求め、論理積を第２オア回路Ｏ２に出力する。第２オア回路Ｏ２は、第２アンド回路Ａ２の出力と、ターンランプ信号Ｓｃとの論理和とを求め、論理和を第６のｎｐｎトランジスタＴ５のベースに出力する。第６のｎｐｎトランジスタＴ６は、コレクタが抵抗Ｒ２とダイオードＤ２との間に接続されており、エミッタが接地されている。このため、第６のｎｐｎトランジスタＴ６のコレクタ−エミッタ間が導通状態となった場合、ストップランプ信号Ｓａは第６のｎｐｎトランジスタＴ６に流れ、第２電子発光素子１０ｂには至らないこととなる。
【００２８】
次に、本実施形態に係る電子発光素子点灯制御回路１の動作を図２〜図４を参照して説明する。図２は、本実施形態に係る電子発光素子点灯制御回路１の動作を説明する第１の構成図である。なお、図２では、説明を分かり易くするため、一部構成のみを図示することとする。
【００２９】
まず、マイクロコンピュータ２１は、第３のｎｐｎトランジスタＴ３のベースに電流を供給し、第３のｎｐｎトランジスタＴ３のコレクタ−エミッタ間を導通状態としている。この状態で、ブレーキスイッチ３００がオンされて、ストップランプ信号Ｓａがマイクロコンピュータ２１に入力したとする。このとき、マイクロコンピュータ２１は、第１のｎｐｎトランジスタＴ１を制御してバッテリ電流を第１電子発光素子１０ａに流す。これにより、第１電子発光素子１０ａにストップランプとしての機能を果たさせる。
【００３０】
一方、ストップランプ信号Ｓａは、第１ストップランプ信号供給回路３０ａの抵抗Ｒ１に入力するが、第３のｎｐｎトランジスタＴ３のコレクタ−エミッタ間が導通状態となっているため、ダイオードＤ１を介して第１電子発光素子１０ａには至らず、第３のｎｐｎトランジスタＴ３に流れる。すなわち、第１ストップランプ信号制御回路４０ａは、マイクロコンピュータ２１が正常であるときには第１ストップランプ信号供給回路３０ａを通じてストップランプ信号が第１電子発光素子１０ａに入力することを禁止する。
【００３１】
ここで、マイクロコンピュータ２１に故障が発生したとする。このとき、マイクロコンピュータ２１にストップランプ信号Ｓａが入力しても、マイクロコンピュータ２１は第１のｎｐｎトランジスタＴ１を導通状態にできず、第１電子発光素子１０ａはストップランプとしての機能を果たせなくなる。ところが、本実施形態では、マイクロコンピュータ２１の故障時に第３のｎｐｎトランジスタＴ３が非導通状態となり、ストップランプ信号Ｓａは、抵抗Ｒ１及びダイオードＤ１を介して、第１電子発光素子１０ａに入力する。すなわち、第１ストップランプ信号制御回路４０ａは、マイクロコンピュータ２１が故障しているときには第１ストップランプ信号供給回路３０ａを通じてストップランプ信号Ｓａが第１電子発光素子１０ａに入力することを許可することとなる。そして、ストップランプ信号Ｓａが第１電子発光素子１０ａに入力することから、第１電子発光素子１０ａは点灯し、ストップランプとしての機能を果たすこととなる。
【００３２】
なお、図２に示していないが、第２電子発光素子１０ｂについても同様である。すなわち、第２ストップランプ信号供給回路３０ｂと第２ストップランプ信号制御回路４０ｂとによって、マイクロコンピュータ２１の故障時にはストップランプ信号Ｓａが第２電子発光素子１０ｂに入力し、第２電子発光素子１０ｂがストップランプとしての機能を果たすこととなる。
【００３３】
図３は、本実施形態に係る電子発光素子点灯制御回路１の動作を説明する第２の構成図である。なお、図３では、説明を分かり易くするため、一部構成のみを図示することとする。
【００３４】
上記の如く、マイクロコンピュータ２１が故障した場合、第１電子発光素子１０ａはストップランプとしての機能を果たすこととができる。また、本実施形態では、マイクロコンピュータ２１が故障したときに、ターンランプ信号Ｓｃが入力されたとすると、以下のように動作する。
【００３５】
まず、ターンランプ信号Ｓｃは、運転者が右左折しようとしてウインカー操作した場合に、間欠的に入力されるものである。このため、ウインカー操作されている場合、ターンランプ信号Ｓｃはマイクロコンピュータ２１への入力と非入力とを繰り返すこととなる。
【００３６】
ここで、ターンランプ信号Ｓｃの入力時において、マイクロコンピュータ２１が故障しており、ストップランプ信号Ｓａが入力されているとする。このとき、第１点滅制御回路５０ａの第１アンド回路Ａ１の出力Ｘはオンとなる。また、第１アンド回路Ａ１の出力Ｘがオンであることから、第１オア回路Ｏ１の出力Ｙも同様にオンとなる。このため、第５のｎｐｎトランジスタＴ５はコレクタ−エミッタ間が導通状態となり、第１電子発光素子１０ａは点灯しないこととなる。すなわち、第１点滅制御回路５０ａは、上記場合において、第１ストップランプ信号供給回路３０ａを通じてストップランプ信号Ｓａが第１電子発光素子１０ａに入力することを禁止することとなる。
【００３７】
また、ターンランプ信号Ｓｃが非入力となると、第１アンド回路Ａ１の出力Ｘはオフとなり、第１オア回路Ｏ１の出力Ｙも同様にオフとなる。このため、第５のｎｐｎトランジスタＴ５はコレクタ−エミッタ間は非導通状態となり、第１電子発光素子１０ａは点灯することとなる。すなわち、第１点滅制御回路５０ａは、ターンランプ信号Ｓｃが非入力となると、第１ストップランプ信号供給回路３０ａによってストップランプ信号Ｓａが第１電子発光素子１０ａに入力することを許可することとなる。
【００３８】
図４は、本実施形態に係る電子発光素子点灯制御回路１の動作の説明図である。同図に示すように、マイクロコンピュータ２１の故障時にマイクロコンピュータ２１にストップランプ信号Ｓａが入力しようとし、ターンランプ信号Ｓｃが入力しようとしていない場合、図４に示す状態３となる。状態３において、第１アンド回路Ａ１の出力Ｘはオフとなり、第１オア回路Ｏ１の出力Ｙもオフとなる。このため、ストップランプ信号Ｓａは、抵抗Ｒ１及びダイオードＤ１を介して第１電子発光素子１０ａに至り、第１電子発光素子１０ａは点灯する。
【００３９】
他方、マイクロコンピュータ２１の故障時にマイクロコンピュータ２１にストップランプ信号Ｓａ及びターンランプ信号Ｓｃが入力しようとしている場合、図４に示す状態１となる。状態１において、第１アンド回路Ａ１の出力Ｘはオンとなり、第１オア回路Ｏ１の出力Ｙもオンとなる。このため、ストップランプ信号Ｓａは、第１電子発光素子１０ａに至ることなく、第１電子発光素子１０ａは消灯する。
【００４０】
そして、ターンランプ信号Ｓｃは、間欠的にマイクロコンピュータ２１に入力しようとすることから、状態１と状態３とが繰り返されることとなる。このため、電子発光素子１０ａは点滅発光してターンランプとしての機能を果たすこととなる。
【００４１】
なお、ストップランプ信号Ｓａ及びターンランプ信号Ｓｃとの双方が、マイクロコンピュータ２１に入力しようとしてない場合、図４に示す状態２のように、第１アンド回路Ａ１の出力Ｘはオフとなり、第１オア回路Ｏ１の出力Ｙもオフとなる。このため、第５のｎｐｎトランジスタＴ５は非導通状態となるが、そもそもストップランプ信号Ｓａが入力していないため、第１電子発光素子１０ａは点灯しないこととなる。また、ターンランプ信号Ｓｃのみが入力しようとしているときも同様にストップランプ信号Ｓａが入力していないため、第１電子発光素子１０ａは点灯しないこととなる。
【００４２】
また、上記では、第１電子発光素子１０ａについて説明したが、第２電子発光素子１０ｂについても同様に、動作する。
【００４３】
このようにして、本実施形態に係る電子発光素子点灯制御回路１によれば、ストップランプ信号Ｓａを入力することにより、ストップランプとして必要な輝度及び点灯パターンで電子発光素子１０ａ，１０ｂを発光させ、且つ、他のランプ信号Ｓｂ，Ｓｃを入力することにより、他のランプとして必要な輝度及び点灯パターンで電子発光素子１０ａ，１０ｂを発光させることとしている。このため、同一の発光素子に複数の機能を果たさせることができる。
【００４４】
また、マイクロコンピュータ２１が正常であるときにはストップランプ信号供給回路３０ａ，３０ｂを通じてストップランプ信号Ｓａが電子発光素子１０ａ，１０ｂに入力することを禁止し、且つ、マイクロコンピュータ２１が故障しているときにはストップランプ信号供給回路３０ａ，３０ｂを通じてストップランプ信号Ｓａが電子発光素子１０ａ，１０ｂに入力することを許可するようにしている。このため、たとえマイクロコンピュータ２１が故障したとしても、ストップランプ信号Ｓａはストップランプ信号供給回路３０ａ，３０ｂによって電子発光素子１０ａ，１０ｂに入力することとなる。ここで、ストップランプ信号Ｓａは電流信号であるため、電子発光素子１０ａ，１０ｂは点灯してストップランプとしての機能を果たすこととなる。
【００４５】
従って、マイクロコンピュータ正常時には同一の発光素子に複数種のランプ機能を果たさせつつも、マイクロコンピュータ故障時にはストップランプとして点灯させることができる。
【００４６】
また、マイクロコンピュータ２１の故障時において、マイクロコンピュータ２１にストップランプ信号Ｓａとターンランプ信号Ｓｃとが入力しようとしている場合に、ストップランプ信号供給回路３０ａ，３０ｂを通じてストップランプ信号Ｓａが電子発光素子１０ａ，１０ｂに入力することを禁止することとしている。このため、マイクロコンピュータ２１が故障しており、マイクロコンピュータ２１にストップランプ信号Ｓａが入力しようとしている場合、さらにターンランプ信号Ｓｃが入力しようとしているときには電子発光素子１０ａ，１０ｂは点灯しないこととなる。
【００４７】
一方、マイクロコンピュータ２１にストップランプ信号Ｓａが入力しようとしターンランプ信号Ｓｃが入力しようとしていない場合に、ストップランプ信号供給回路３０ａ，３０ｂを通じてストップランプ信号Ｓａが電子発光素子１０ａ，１０ｂに入力することを許可することとしている。このため、マイクロコンピュータ２１が故障しており、マイクロコンピュータ２１にストップランプ信号Ｓａが入力しようとしている場合、ターンランプ信号Ｓｃが入力しようとしていないときには電子発光素子１０ａ，１０ｂは点灯することとなる。
【００４８】
ここで、ターンランプ信号Ｓｃは、マイクロコンピュータ２１に間欠的に入力する。このため、上記場合において電子発光素子１０ａ，１０ｂは点灯と消灯とを交互に繰り返すこととなり、ターンランプとしての機能を果たすこととなる。
【００４９】
従って、マイクロコンピュータ故障時において同一の発光素子にストップランプとターンランプとの機能を果たさせることができる。
【００５０】
また、マイクロコンピュータ２１は電子発光素子１０ａ，１０ｂを含むリアコンビネーションランプ内に設けられている。ここで、一般的には、マイクロコンピュータは後突時などに故障し易く、故障を防止するためにリアコンビネーションランプ内には設けられない。ところが、本実施形態ではマイクロコンピュータ２１の故障時においても電子発光素子１０ａ，１０ｂが車両ランプ機能を果たすため、マイクロコンピュータ２１をリアコンビネーションランプ内に設けてもよく、車両搭載性を向上させることができる。
【００５１】
以上、実施形態に基づき本発明を説明したが、本発明は上記実施形態に限られるものではなく、本発明の趣旨を逸脱しない範囲で、変更を加えてもよい。例えば、本実施形態ではｎｐｎトランジスタＴ１〜Ｔ６が用いられているが、他のスイッチング手段を用いてもよい。また、本実施形態において電子発光素子１０ａ，１０ｂは、ストップランプ、テールランプ、及びターンランプとして発光可能となっているが、これに限らない。すなわち、電子発光素子１０ａ，１０ｂは、ストップランプ及び他のランプとして発光可能となっていればよく、望ましくは、ストップランプ及びターンランプとして発光可能となっていればよい。さらに、より望ましくは、ストップランプ、テールランプ、及びターンランプとして発光可能となっていればよい。
【図面の簡単な説明】
【００５２】
【図１】本発明の実施形態に係る電子発光素子点灯制御回路の構成図である。
【図２】本実施形態に係る電子発光素子点灯制御回路の動作を説明する第１の構成図である。
【図３】本実施形態に係る電子発光素子点灯制御回路の動作を説明する第２の構成図である。
【図４】本実施形態に係る電子発光素子点灯制御回路の動作の説明図である。
【符号の説明】
【００５３】
１…電子発光素子点灯制御回路
１０ａ，１０ｂ…電子発光素子
２０…ＥＣＵ
２１…マイクロコンピュータ
３０ａ，３０ｂ…ストップランプ信号供給回路
４０ａ，４０ｂ…ストップランプ信号制御回路
５０ａ，５０ｂ…点滅制御回路
１００，２００…リアコンビネーションランプ
Ｓａ…ストップランプ信号
Ｓｂ，Ｓｃ…他のランプ信号
【図１】
2007038809.tif 000003
【図２】
2007038809.tif 000004
【図３】
2007038809.tif 000005
【図４】
2007038809.tif 000006